(57)【要約】【課題】同乗者を検出するための特別なハード構成を備えることなく、同乗者がいる場合は、車両走行中であっても車載装置の操作を許可する操作制御装置、及び、操作制御プログラムを提供する。【解決手段】車両１の車速が予め定められた速度以上である場合であっても（Ｓ１０：ＹＥＳ）、同乗者がいる場合は（Ｓ１２：ＹＥＳ、Ｓ１６：ＮＯ）、ナビゲーション装置３の操作は許可される。そのためこの操作制御処理を実行すると、同乗者は、ナビゲーション装置３をいつでも操作することができるので、運転者も同乗者もナビゲーション装置３に対して不便さを感じることはない。また、この操作制御処理を実行する場合、ナビなどにすでに備えられているマイク及びカメラを用いることができるので、コストをかけずに導入することができる。【選択図】図２
2014032119.tif 000002
【特許請求の範囲】
【請求項１】
車載装置を操作するための操作部（３６、３７）と、
前記車載装置を搭載している車両が走行しているか判定する走行判定手段（Ｓ１０）と、
該走行判定手段により車両が走行していると判定される場合は、前記操作部に対する操作を禁止する第１操作禁止手段（Ｓ４０）と、
車内に設置されたマイク（３２）と、
該マイクを用いて車内で発生した音声を検出する音声検出手段（Ｓ１１）と、
運転者の顔を撮像する撮像部（５４）と、
該撮像部で撮像した運転者の顔の画像から、運転者の口に動きがあるかを検出する口動作検出手段（Ｓ１６）と、
該口動作検出手段が運転者の口の動きを検出していないときに、前記音声検出手段が車内で発生する音声を検出した場合、前記第１操作禁止手段による前記操作手段に対する操作の禁止を解除する解除手段（Ｓ１８）と
を備えることを特徴とする操作制御装置。
【請求項２】
請求項１に記載の操作制御装置において、
該撮像部で撮像した運転者の顔の画像から、運転者の視線方向又は顔向きを検出する視線検出手段（Ｓ２０、Ｓ２４）と、
前記視線検出手段で検出された運転者の視線方向又は顔向きから、運転者が一定時間以上、前記車載装置を見ているか検出する脇見検出手段（Ｓ２６）と、
前記脇見検出手段により、運転者が一定時間以上、前記車載装置を見ていると判定された場合、前記操作部に対する操作を禁止する第２操作禁止手段と（Ｓ２８）、
を備えることを特徴とする操作制御装置。
【請求項３】
請求項１，２のいずれか１項に記載の操作制御装置において、
前記走行判定手段は、
前記車両が予め定められた速度以上で走行しているとき、前記車両が走行していると判定することを特徴とする操作制御装置。
【請求項４】
車載装置を搭載している車両が走行しているか判定する走行判定ステップ（Ｓ１０）と、
該走行判定ステップにより車両が走行していると判定される場合は、前記車載装置を操作するための操作部に対する操作を禁止する第１操作禁止ステップ（Ｓ４０）と、
車内に設置されたマイクを用いて車内で発生した音声を検出する音声検出ステップ（Ｓ１１）と、
運転者の顔を撮像する撮像部で撮像した運転者の顔の画像から、運転者の口に動きがあるかを検出する口動作検出ステップ（Ｓ１６）と、
該口動作検出ステップで運転者の口の動きが検出されていないときに、前記音声検出ステップにより、車内で発生する音声が検出された場合、前記第１操作禁止ステップでの前記操作部に対する操作の禁止を解除する解除ステップ（Ｓ１８）と
を備えることを特徴とする操作制御プログラム。
【請求項５】
請求項４に記載の操作制御プログラムにおいて、
前記撮像部で撮像した運転者の顔の画像から、運転者の視線方向又は顔向きを検出する視線検出ステップ（Ｓ２０，Ｓ２４）と、
前記視線検出ステップで検出された運転者の視線方向又は顔向きから、運転者が一定時間以上、前記車載装置を見ているか検出する脇見検出ステップ（Ｓ２６）と、
前記脇見検出ステップにより、運転者が一定時間以上、前記車載装置を見ていると判定された場合、前記操作部に対する操作を禁止する第２操作禁止ステップ（Ｓ４０）と、
を備えることを特徴とする操作制御プログラム。
【請求項６】
請求項４，５のいずれか１項に記載の操作制御プログラムにおいて、
前記走行判定ステップは、
前記車両が予め定められた速度以上で走行しているとき、前記車両が走行していると判定することを特徴とする操作制御プログラム。
【発明の詳細な説明】
【技術分野】
【０００１】
本発明は、同乗者がいる場合は、車両走行中の車載装置の操作を許可する操作制御装置、及び、操作制御プログラムに関する。
【背景技術】
【０００２】
近年、自動車には、ナビゲーション装置を始めとする各種の車載装置が搭載されている。そして、これら車載装置の多くは、安全性を確保するため、車両走行中の操作が禁止されている。
【０００３】
しかし、車両が走行中というだけで車載装置の操作を禁止してしまうと、運転者の操作はもちろん、同乗者の操作ですら車両走行中はその操作が一律に禁止されてしまうという不便さがあった。
【０００４】
そのため、ある車載装置では、運転者の脇見を検出し、その総脇見時間が予め設定された規定時間以下であれば操作を許可し、総脇見時間が規定時間を超えたときは操作を禁止している。
【０００５】
つまり、この車載装置では、車両が走行中であっても、運転者の総脇見時間が規制時間を越えない場合、安全性は確保できるとして、同乗者による操作はもちろん、運転者による操作をも許可していた（特許文献１）。
【先行技術文献】
【特許文献】
【０００６】
【特許文献１】特開２００７−６９７５６号公報
【発明の概要】
【発明が解決しようとする課題】
【０００７】
しかし、車両運転中の運転者は、カーブにさしかかったとき、右左折をするとき、十字路や横断歩道等を通過するため左右確認をするとき、後方確認のためバックミラーやサイドミラーを確認するときなど、様々な場面で、正面前方以外の方向に顔を向けている。
【０００８】
そのため、上述した総脇見時間による判定を行っても、総脇見時間が規定時間以下にならないことが多く、結局、車載装置の操作は、運転者による操作はもちろん、同乗者による操作も一律に禁止されてしまっていた。
【０００９】
このように、同乗者の操作まで一律に禁止されてしまうと、同乗者による操作は車両の安全性とは関わりのないものなので、運転者も同乗者もその車載装置に対して不便さを感じてしまう。
【００１０】
一方、上述の特許文献１では、総脇見時間内であれば運転者が車載装置の操作をしても安全であるとしているが、車両走行中の運転者による車載装置の操作は、総脇見時間の多少にかかわらず危険なものである。
【００１１】
他方、同乗者の有無を検出する検出装置等の特別なハード構成を備えることによって、同乗者がいる場合、その検出結果を用いて車載装置の操作を許可するようにしてもよいが、コストが高くなってしまうデメリットがある。
【００１２】
そこで本発明は、同乗者を検出するための特別なハード構成を備えることなく、同乗者がいる場合は、車両走行中であっても車載装置の操作を許可する操作制御装置、及び、操作制御プログラムを提供することを目的とする。
【課題を解決するための手段】
【００１３】
この目的を達成するため、本発明の操作制御装置では、走行判定手段（Ｓ１０）が、車載装置を搭載している車両が走行しているかを判定し、この走行判定手段により車両が走行していると判定される場合は、第１操作禁止手段（Ｓ４０）が、車載装置を操作するための操作部に対する操作を禁止している。
【００１４】
しかし、本発明の操作制御装置では、口動作検出手段（Ｓ１６）が、運転者の顔を撮像する撮像部で撮像した運転者の顔の画像から運転者の口に動きがあるかを検出し、音声検出手段（Ｓ１１）が、この口動作検出手段が運転者の口の動きを検出していないときに、車内で発生する音声を集音部を用いて検出した場合、解除手段（Ｓ１８）が、第１操作禁止手段による操作部に対する操作の禁止を解除している。
【００１５】
一般に、同乗者がいるとき、運転者は、車載装置の操作を同乗者にまかせることが多く、同乗者がいない場合は、車載装置の操作を運転者自身がやらざるを得ないため、車両走行中であるにもかかわらず、運転者は車載装置を操作してしまうことが多いと考えられる。そのため、本発明では、同乗者の有無を検出して、車載装置の操作を許可するか否かを判断している。
【００１６】
また、近年、ナビゲーション装置を始めとする車載装置には、音声操作用のマイク（集音部）が備えられることが多く、また、車両には、運転者の脇見や居眠りを検出するため、運転者の顔を撮像するカメラ（撮像部）が備えられることが多くなっている。
【００１７】
そのため、これらを利用することで、同乗者を検出するための特別なハード構成を備えることなく、本発明の操作制御装置を構成することができる。
従って、本発明の操作制御装置を用いると、同乗者がいる場合は、車両走行中であっても車載装置の操作が許可され、同乗者は、車載装置をいつでも操作することができるので、運転者も同乗者も車載装置に対して不便さを感じることはない。
【００１８】
また、本発明の操作制御装置は、同乗者を検出するための特別なハード構成を備えなくてもよいので、コストを抑えて導入することができる。
さらに、本発明の操作制御装置を用いると、同乗者がいない場合は、車両走行中の車載装置の操作が禁止されるので、車両走行中に車載装置を操作する危険な運転を確実に防止することができる。
【００１９】
尚、請求項４に記載された操作制御プログラムを用いると、集音部及び撮像部を備えた車両であれば、この操作制御プログラムを車載装置等にインストールすることで、上述した効果を有する操作制御装置を構成することができる。
【００２０】
因みに、上記各手段等の括弧内の符号は、後述する実施形態に記載の具体的手段等との対応関係を示す一例であり、本発明は上記各手段等の括弧内の符号に示された具体的手段等に限定されるものではない。
【図面の簡単な説明】
【００２１】
【図１】車両が備えるナビゲーション装置及び監視装置の内部構成を示すブロック図である。
【図２】ナビゲーション装置で実行される操作制御プログラムのフローチャートである。
【発明を実施するための形態】
【００２２】
以下に本発明の実施形態を図面と共に説明する。
（全体構成）
車両１は、図１に示すように、ナビゲーション装置３及び監視装置５を備えている。
（ナビゲーション装置３）
ナビゲーション装置３は、中央制御装置３０、車速検出部３１、マイク３２、地図情報記憶部３３、現在位置検出部３４、画像表示部３５、操作部３６、遠隔操作部３７を備えている。
【００２３】
中央制御装置３０は、図示しないＣＰＵ、及び、操作制御プログラムが記憶されたＲＯＭ３０ａ、ＲＡＭ３０ｂを備えるコンピュータ装置である。この中央制御装置３０は、ＲＯＭ３０ａに記憶された操作制御プログラムを実行することで後述する操作制御処理を実行する。また、ＲＡＭ３０ｂには後述する同乗者フラグに関する情報が記憶される。同乗者フラグが立てられているときは、この同乗者フラグに関する情報として「１」が記憶され、同乗者フラグが立てられていないときは、「０」が記憶される。
【００２４】
車速検出部３１は、車両１に備えられた車速センサから、車両１の速度に関する信号を入力して、ナビゲーション装置３の中央制御装置３０で処理できる信号に変換して出力する装置である。
【００２５】
マイク３２は、ナビゲーション装置３を音声操作等するため、車両１内で発生した音声等を拾うためのもので、ステアリングコラム、インパネ等に設置されている。
地図情報記憶部３３は、地図情報を記憶したＨＤＤやＩＣメモリ等の記憶装置、または、地図情報を記憶したＤＶＤ等の記録媒体から地図情報を読み取る読取装置など、中央制御装置３０の要求に応じて地図情報を出力可能な装置で構成されている。
【００２６】
この地図情報としては、地図の描画情報の他、地図上に表示される道路、交差点、分岐点、駐車場、商業施設等の各種施設と、これら各種施設の位置を示す位置情報とが関連付けられた施設位置情報や、経路案内処理その他の処理で必要な情報を有している。
【００２７】
現在位置検出部３４は、ＧＰＳ受信機、ジャイロスコープ、車速センサなどで構成されており、これらを用いてナビゲーション装置３が搭載された利用者の自車両の現在位置や走行方向などを検出する。
【００２８】
画像表示部３５は、液晶表示装置等からなり、中央制御装置３０の指示に従って、地図情報記憶部３３から得た地図情報及び現在位置検出部３４から得た現在位置情報等によって地図上に現在位置等を記した経路案内用の画像や各種処理に応じた画像を表示する。
【００２９】
操作部３６は、複数のボタン型のスイッチ、画像表示部３５の画面上に積層された透明なタッチパネルで構成されたヒューマンインターフェイス装置である。
遠隔操作部３７は、ナビゲーション装置３を構成する筐体から離れた位置に設置され、無線などによりナビゲーション装置３を遠隔操作可能なリモコン型の操作装置であり、例えば、ステアリングコラム等に着脱可能に設置される。
（監視装置５）
次に、監視装置５は、運転者の脇見や居眠りなどを監視する装置であり、画像処理部５０、投光器制御部５１、投光器５２、カメラ制御部５３、カメラ５４で構成される。
【００３０】
画像処理部５０は、図示しないＣＰＵ、ＲＯＭ、ＲＡＭ等によって構成されているコンピュータ装置で、カメラ５４で撮像された画像の画像情報を入力し、この画像情報を解析し、その解析結果をナビゲーション装置３の中央制御装置３０に出力する装置である。
【００３１】
この監視装置５では、運転者の顔をカメラ５４で撮像しており、画像処理部５０は、このカメラ５４で撮像された画像の画像情報から、運転者の視線、顔向き、口の動きを解析して、その解析結果を中央制御装置３０からの要求に応じて出力している。
【００３２】
この画像処理部５０で実行される解析方法としては、（２値化処理や濃淡情報によるパターンマッチング等の画像処理）などがあり、本実施形態ではどのような解析方法を用いてもよいが、本実施形態はその解析方法に特徴があるものではないので、その説明については省略する。
【００３３】
投光器５２は、遠赤外線を運転者の顔に向けて照射する投光器であり、カメラ５４とともに、ステアリングコラム又はインパネ上に配置される。
投光器制御部５１は、この投光器５２の点灯や明るさ等を制御する装置で、画像処理部５０からの指示を受けて投光器５２を制御する。
【００３４】
画像処理部５０では、カメラ５４で撮像した画像を解析して、その解析結果の善し悪し等により投光器５２の明るさや点灯を判断しており、投光器制御部５１は、この画像処理部５０での判断結果に従って、投光器５２を制御している。
【００３５】
カメラ５４は、運転者の顔を撮像するものであり、前述したように投光器５２とともに、ステアリングコラム又はインパネ上等に配置される。
カメラ制御部５３は、カメラ５４の絞り等を制御する装置であり、画像処理部５０からの指示を受けてカメラ５４を制御する。
【００３６】
画像処理部５０では、カメラ５４で撮像した画像を解析して、その解析結果の善し悪し等によりカメラ５４の絞り等を判断しており、カメラ制御部５３は、この画像処理部５０での判断結果に従って、カメラ５４を制御している。
（操作制御処理）
次に、ナビゲーション装置３の中央制御装置３０で実行される操作制御処理について説明する。
【００３７】
この操作制御処理は、監視装置５や、このナビゲーション装置３が備える車速検出部３１等から各種情報を入力するとともに、これら入力された情報に基づいてＲＯＭ３０ａに記憶された操作制御プログラムを中央制御装置３０が処理することにより実行される。
【００３８】
この操作制御処理が開始されると、図２に示すように、まず、Ｓ１０が実行される。
Ｓ１０では、車速検出部３１から入力された車両１の速度に関する信号に基づいて、車両１が予め定められた速度（例えば、時速５ｋｍ／ｈ）以上の速度で走行しているかが判定される。
【００３９】
このＳ１０の判定の基準となる速度は、運転者がナビゲーション装置３を操作しても安全上問題がない速度であればよく、上述した時速５ｋｍ／ｈに限られるものではない。
この判定（Ｓ１０）で、車両１の速度が予め定められた速度未満である場合は（Ｓ１０：ＮＯ）、次にＳ３０の処理が実行され、車両１の速度が予め定められた速度以上である場合は（Ｓ１０：ＹＥＳ）、次にＳ１１の処理が実行される。
【００４０】
Ｓ１１では、マイク３２によって音声が拾われたか否かが判定される。このＳ１１により、音声が拾われたと判定された場合は（Ｓ１１：ＹＥＳ）、次に、Ｓ１４の処理が実行され、Ｓ１１により、音声が拾われていないと判定された場合は（Ｓ１１：ＮＯ）、次に、Ｓ１２の処理が実行される。
【００４１】
Ｓ１４では、監視装置５の画像処理部５０に対し、運転者の口の動きの解析結果に関する情報を出力するよう指示する処理が実行され、続くＳ１６では、Ｓ１４での処理により、監視装置５の画像処理部５０から入力した運転者の口の動きの解析結果に関する情報に基づいて、運転者が話しているか否かが判定される。
【００４２】
このＳ１６の処理により、運転者が話していると判定された場合は（Ｓ１６：ＹＥＳ）、次に、Ｓ１２の処理が実行され、運転者が話していないと判定された場合は（Ｓ１６：ＮＯ）、次に、Ｓ１７の処理が実行される。
【００４３】
このＳ１６では、Ｓ１４において、車内で誰かがしゃべっていると判定されないと実行されないので、このＳ１６において運転者が話していないと判定された場合（Ｓ１６：ＮＯ）、同乗者がいるものと判定される。
【００４４】
Ｓ１２では、同乗者がいるとすでに判定されているか判定する処理が実行される。
この操作制御処理は、ナビゲーション装置３が動作している間、繰り返し実行され、この操作制御処理で実行される後述するＳ１８では、Ｓ１１及びＳ１６での判定により同乗者がいると判定された場合（Ｓ１１：ＹＥＳ、Ｓ１６：ＮＯ）、同乗者フラグが立てられる。
【００４５】
このＳ１２では、すでに実行された前回以前の操作制御処理のＳ１８において、同乗者フラグが立てられているか否かを判定している。
この判定（Ｓ１２）で、同乗者がいると判定された場合（Ｓ１２：ＹＥＳ）、次に、運転者が脇見をしていないか判定するＳ２０の処理が実行され、同乗者がいないと判定された場合（Ｓ１２：ＮＯ）、次に、Ｓ４０の処理が実行される。
【００４６】
Ｓ１７でも、この同乗者フラグが立っているか否かを判定することにより、同乗者がいるとすでに判定されているか判定する処理が実行される。
この判定（Ｓ１７）で、同乗者がいるとすでに判定され、同乗者フラグがすでに立っているときは（Ｓ１７：ＹＥＳ）、次に、Ｓ１９の処理が実行され、ナビゲーション装置３の動作を開始した後、車速が一定速度を超えたと始めて判定されるか（Ｓ１０：ＹＥＳ）、後述するＳ２８での処理によって同乗者フラグが倒されていて、同乗者フラグが立っていないと判定された場合（Ｓ１７：ＮＯ）、次に、Ｓ１８の処理が実行される。
【００４７】
Ｓ１８では、同乗者フラグを立てる処理が実行される。
このＳ１８では、Ｓ１１及びＳ１６の判定で、音声が入力されているにもかかわらず（Ｓ１１：ＹＥＳ）、運転者が話をしていないと判定された場合（Ｓ１６：ＮＯ）、すなわち、同乗者がいると判定された場合に実行される処理であり、中央制御装置３０のＲＡＭ３０ｂに記憶された同乗者フラグ情報を「０」から「１」にして、同乗者フラグが立てられた状態にする。
【００４８】
Ｓ１９では、監視装置５の画像処理部５０に対し、運転者の視線の解析結果に関する情報を出力するよう指示する処理が実行され、続くＳ２０では、Ｓ１９での処理により、監視装置５の画像処理部５０から入力した運転者の視線の解析結果に関する情報に基づいて、運転者の視線方向がナビゲーション装置３に向いているか否かが判定される。
【００４９】
このＳ２０の処理により、運転者がナビゲーション装置３に視線を向けていると判定された場合は（Ｓ２０：ＹＥＳ）、次に、Ｓ２６の処理が実行され、運転者が視線を向けていないと判定された場合は（Ｓ２０：ＮＯ）、次に、Ｓ２２の処理が実行される。
【００５０】
Ｓ２２では、監視装置５の画像処理部５０に対し、運転者の顔向きの解析結果に関する情報を出力するよう指示する処理が実行され、続くＳ２４では、Ｓ２２での処理により、監視装置５の画像処理部５０から入力した運転者の顔向きの解析結果に関する情報に基づいて、運転者がナビゲーション装置３に視線を向けているか否かが判定される。
【００５１】
このＳ２２の処理により、運転者がナビゲーション装置３に顔を向けていると判定された場合は（Ｓ２２：ＹＥＳ）、次に、Ｓ２６の処理が実行され、運転者が顔を向けていないと判定された場合は（Ｓ２０：ＮＯ）、次に、Ｓ３０の処理が実行される。
【００５２】
Ｓ２６では、運転者が一定時間以上、ナビゲーション装置３に視線又は顔を向けているか否かが判定される。
このＳ２６の判定方法としては、例えば、一定時間以上の運転者の視線又は顔向きに関する情報を中央制御装置３０のＲＡＭ３０ｂ等に記録し、この記録された情報のすべてがナビゲーション装置３に運転者が視線又は顔を向けているという情報であるか否かにより判定してもよい。
【００５３】
この判定（Ｓ２６）により、運転者が一定時間以上、ナビゲーション装置３に視線又は顔を向けていると判定された場合（Ｓ２６：ＹＥＳ）、次に、Ｓ２８の処理が実行され、運転者が一定時間以上、ナビゲーション装置３に視線又は顔を向けていないと判定された場合（Ｓ２６：ＮＯ）、次に、Ｓ３０の処理が実行される。
【００５４】
Ｓ２８では、同乗者フラグを倒す処理が実行される。すなわち、運転者がナビゲーション装置３を操作しているかもしれないので、危険であるとして、同乗者フラグを倒す処理が実行される。
【００５５】
Ｓ３０では、ナビゲーション装置３の操作が許可され、操作部３６又は遠隔操作部３７による操作がなされた場合、その操作に従ってナビゲーション装置３を動作させる処理が実行される。
【００５６】
一方、Ｓ４０では、ナビゲーション装置３の操作が禁止され、操作部３６又は遠隔操作部３７による操作がなされても、ナビゲーション装置３は動作しない。
以下、再び、Ｓ１０以下の処理が繰り返し実行される。
【００５７】
以上説明した操作制御処理を実行した場合、Ｓ１０により、車両１の車速が予め定められた速度未満である場合は（Ｓ１０：ＮＯ）、ナビゲーション装置３の操作は常時許可される（Ｓ３０）。
【００５８】
また、車両１の車速が予め定められた速度以上である場合であっても（Ｓ１０：ＹＥＳ）、同乗者がいる場合は（Ｓ１１：ＹＥＳ、Ｓ１６：ＮＯの場合、Ｓ１１：ＮＯ又はＳ１６ＹＥＳ、Ｓ１２：ＹＥＳ）、ナビゲーション装置３の操作は許可される。
【００５９】
しかし、同乗者がいる場合であっても、運転者が一定時間以上ナビゲーション装置３を見ている場合（Ｓ２０：ＹＥＳ、Ｓ２４：ＹＥＳ）、ナビゲーション装置３の操作は禁止される。
【００６０】
この場合、車両１の速度を予め定められた速度未満に落とすか（Ｓ１０：ＮＯ）、同乗者が声を発するとともに運転者が声を発しない動作を行えば（Ｓ１１：ＹＥＳ、Ｓ１６：ＮＯ）、ナビゲーション装置３の操作は許可され、同乗者によるナビゲーション装置３の操作が再度可能となる。
［本実施形態の特徴的な作用効果］
本実施形態の操作制御処理を実行すると、同乗者がいる場合は、車両走行中であってもナビゲーション装置３の操作が許可され、同乗者は、ナビゲーション装置３をいつでも操作することができるので、運転者も同乗者もナビゲーション装置３に対して不便さを感じることはない。
【００６１】
また、本実施形態では、ナビゲーション装置３及び監視装置５にすでに備えられているマイク３２及びカメラ５４を用い、中央制御装置３０で操作制御処理を実行しているだけなので、同乗者を検出するための特別なハード構成を備えなくてもよいので、コストを抑えて導入することができる。
【００６２】
さらに、本実施形態の操作制御処理を実行すると、同乗者がいない場合は、車両走行中のナビゲーション装置３の操作が禁止されるので（Ｓ１１：ＹＥＳからＳ１６：ＮＯとなることはない）、運転者が車両走行中にナビゲーション装置３を操作する危険な運転を確実に防止することができる。
【００６３】
また、本実施形態では、同乗者がいる場合であっても、運転者がナビゲーション装置３が位置する方向を見ていた場合、ナビゲーション装置３の操作が禁止されるので、運転者がナビゲーション装置３を操作するためよそ見をしていても、これを防止することができる。
（その他の実施形態）
上記実施形態では操作制御処理を実行する操作制御プログラムがＲＯＭ３０ａに実行された例について説明したが、この操作制御プログラムは、既存のナビゲーション装置３にＣＤやＤＶＤ等のメディアを用いてインストールするようにしてもよい。
【００６４】
また、上記実施形態では、ナビゲーション装置３について説明したが、これ以外の車載装置に操作制御プログラムをインストールするなどして、その車載装置に対して操作制御プログラムを実行するようにしてもよい。
（対応関係）
本発明の操作制御装置は、本実施形態のうち、操作制御処理を実行する中央制御装置３０、車速検出部３１、マイク３２、操作部３６、遠隔操作部３７、カメラ５４に相当する。また、本発明の操作手段は、本実施形態の操作部３６、遠隔操作部３７に相当し、撮像部はカメラ５４に相当する。
【００６５】
本発明の走行判定手段及び走行判定ステップは本実施形態のＳ１０の処理に相当し、第１操作禁止手段及び第１操作禁止ステップはＳ４０の処理に相当する。
本発明の音声検出手段及び音声検出ステップは本実施形態のＳ１１の処理に相当し、撮像部はカメラ５４、口動作検出手段及び口動作検出ステップはＳ１６の処理に相当し、解除手段及び解除ステップはＳ１８の処理に相当する。
【００６６】
本発明の視線検出手段及び視線検出ステップは、本実施形態のＳ２０、Ｓ２４の処理に相当し、脇見検出手段及び脇見検出ステップはＳ２６の処理に相当し、第２操作禁止手段及び第２操作禁止ステップはＳ２８の処理に相当する。
【００６７】
尚、本発明は、特許請求の範囲に記載された発明の趣旨に合致するものであればよく、上述の実施形態に限定されるものではない。
【符号の説明】
【００６８】
１… 車両  ３… ナビゲーション装置  ５… 監視装置  ３０… 中央制御装置
３１… 車速検出部  ３２… マイク  ３３… 地図情報記憶部  ３４… 現在位置検出部
３５… 画像表示部  ３６… 操作部  ３７… 遠隔操作部  ５０… 画像処理部
５１… 投光器制御部  ５２… 投光器  ５３… カメラ制御部  ５４… カメラ
【図１】
2014032119.tif 000003
【図２】
2014032119.tif 000004